(57)【要約】【課題】位置情報取得機能により得た位置情報に基づいて通信機能により地図データを取得し、画像データと地図データとを対応付けて記憶することで、画像及び地図の表示に要する処理時間を短縮する撮像装置を提供する。【解決手段】地図データ提供サーバから地図データを取得可能な撮像装置であって、被写体像を撮像し画像信号を出力する撮像素子（光学系９）と、上記画像信号を処理して画像データを生成し出力する画像信号処理部８と、撮影時の位置情報を取得する位置情報取得部２と、上記位置情報を外部ネットワーク１０２を介して上記地図データ提供サーバ１０１に送信し、当該位置情報に対応する地図データを取得する外部ネットワーク通信部３と、上記画像データを格納した画像ファイルと上記地図データを格納した地図画像ファイルとを少なくとも対応付けて記録メディアに記録する記録再生部６とを備える。【選択図】      図１
2008262487.tif 000002
【特許請求の範囲】
【請求項１】
地図データ提供サーバから地図データを取得可能な撮像装置において、
被写体像を撮像し画像信号を出力する撮像手段と、
上記画像信号を処理して画像データを生成し出力する画像信号処理手段と、
上記撮像手段による撮影時の位置情報を取得する位置情報取得手段と、
上記位置情報を外部ネットワークを介して上記地図データ提供サーバに送信し、当該位置情報に対応する地図データを取得する地図データ取得手段と、
上記画像データを格納した画像ファイルと上記地図データを格納した地図画像ファイルとを少なくとも対応付けて記録メディアに記録する記録再生手段とを具備する
ことを特徴とする撮像装置。
【請求項２】
上記記録メディアに記録された画像ファイル及び地図画像ファイルを読み出し、当該画像ファイルに格納されている一の画像データに係る画像を表示する表示手段を更に有し、
上記表示手段による表示に際して、上記画像データに対応する地図データを表示指示するためのアイコンを上記画像と併せて表示する
ことを特徴とする請求項１に記載の撮像装置。
【請求項３】
上記記録再生手段により記録メディアに記録される地図データは、上記地図データ提供サーバにて管理されている地図データである
ことを更に特徴とする請求項１に記載の撮像装置。
【請求項４】
上記撮影時に上記地図データ取得手段により上記位置情報に対応する地図データを取得することができなかった場合において、少なくとも上記表示手段による表示が開始されるときには、上記地図データ取得手段は、上記位置情報を再び外部ネットワークを介して上記地図データ提供サーバに送信し、当該位置情報に対応する地図データを取得する
ことを更に特徴とする請求項２に記載の撮像装置。
【請求項５】
上記記録再生手段により上記記録メディアに画像ファイルと地図画像ファイルを格納するときには、当該画像ファイルと地図画像ファイルとの対応関係に係るデータを保持した同期ファイルを併せて格納する
ことを更に特徴とする請求項１に記載の撮像装置。
【請求項６】
撮影により得られた画像データと地図データ提供サーバから得た地図データのそれぞれを所定のファイル形式で記録メディアに記録する方法であって、
撮影により得られた画像データを画像ファイルに格納し、
上記位置情報に対応する地図データを地図画像ファイルに格納し、
上記画像ファイルと上記地図画像ファイルとの対応関係に係るデータを生成し同期ファイルに格納し、上記画像ファイルと上記地図画像ファイルと上記同期ファイルを上記記録メディアに記録する
ことを特徴とする同期ファイル作成・記録方法。
【発明の詳細な説明】
【技術分野】
【０００１】
本発明は、例えば位置情報取得機能及び通信機能を備えた撮像装置等に係り、特に少なくとも画像データと地図データとを関連付けて記録可能とする撮像装置及びそれに用いる同期ファイル作成・記録方法に関する。
【背景技術】
【０００２】
従来、デジタルカメラやデジタルビデオカメラ等の撮像装置では、撮影した画像に併せて様々な情報をユーザに提示することが可能となっている。また、インターネットを介してサービスプロバイダ等により地図データが提供されるようになり、当該地図データに基づき地図を表示する撮像装置についても種々の提案がなされている。
【０００３】
例えば、特許文献１では、内部に地図データを保持していなくても、地図を表示し、位置情報に関連付けられた任意のデータを地図上に表示して有効利用を図る情報処理装置が開示されている。即ち、同技術では、画像データと、その位置情報及び地図へのリンク情報を有する付加情報とを対応付けてメモリスティックに記憶しておき、表示する際にリンク情報に基づいて地図情報を獲得し、ＬＣＤ(Liquid Crystal Display)に表示している。
【０００４】
【特許文献１】特開２００２−１９６６６７号公報
【発明の開示】
【発明が解決しようとする課題】
【０００５】
しかしながら、前述した従来技術に係る情報処理装置では、大容量の地図データを内部に常時、記憶・保持する必要はなくなるものの、画像の表示時にリンク情報に基づいてインターネット等を介してサービスプロバイダ等のサーバにアクセスし、地図データを取得する必要があることから、当該地図データの取得に要する処理時間が必要であり、その結果、画像及び地図の表示が遅れてしまう場合がある。
【０００６】
本発明は、位置情報取得機能及び通信機能を備え、当該位置情報取得機能により得た位置情報に基づいて通信機能により地図データを取得し、画像データと地図データとを対応付けて記憶することで、画像及び地図の表示に要する処理時間を短縮することを課題とする。
【課題を解決するための手段】
【０００７】
本発明の第１の観点に係る撮像装置では、地図データ提供サーバから地図データを取得可能な撮像装置において、撮像手段が被写体像を撮像し画像信号を出力し、画像信号処理手段が上記画像信号を処理して画像データを生成し出力し、位置情報取得手段が上記撮像手段による撮影時の位置情報を取得し、地図データ取得手段が上記位置情報を外部ネットワークを介して上記地図データ提供サーバに送信し、当該位置情報に対応する地図データを取得し、記録再生手段が上記画像データを格納した画像ファイルと上記地図データを格納した地図画像ファイルとを少なくとも対応付けて記録メディアに記録する。
【０００８】
従って、画像ファイルと地図画像ファイルが対応付けられて、外部ネットワーク経由よりも転送レートが高速な記録メディア上に記録される。
【０００９】
本発明の第２の観点による同期ファイルの作成・記録方法では、撮影により得られた画像データが画像ファイルに格納され、位置情報に対応する地図データが地図画像ファイルに格納され、上記画像ファイルと上記地図画像ファイルとの対応関係に係るデータが生成されて同期ファイルに格納され、上記画像ファイルと上記地図画像ファイルと上記同期ファイルが上記記録メディアに記録される。
【００１０】
従って、画像ファイルと地図画像ファイルとの同期をとるための同期ファイルが外部ネットワーク経由よりも転送レートが高速な記録メディア上に記録される。
【発明の効果】
【００１１】
本発明によれば、位置情報取得機能及び通信機能を備え、当該機能により得た位置情報に基づいて通信機能により地図データを取得し、画像データと地図データとを対応付けて記憶することで、画像及び地図の表示に要する処理時間を短縮する撮像装置及びそれに用いる同期ファイル作成・記録方法を提供することができる。
【発明を実施するための最良の形態】
【００１２】
以下、図面を参照して、本発明を実施するための最良の形態（以下、単に実施の形態という）について詳細に説明する。
【００１３】
本発明の実施の形態は、例えば位置情報取得機能及び外部ネットワークとの通信機能等を備えた撮像装置に関するものであり、位置情報取得機能により取得した撮影時の撮像装置の位置情報に基づいて、通信機能により外部ネットワークを介して例えばサービスプロバイダのサーバ等にアクセスし、当該サーバ等から位置情報に対応する地図データを取得し、撮影により得られた画像データと取得した地図データとを対応付けて記録媒体等に記録するものである。尚、以下では、撮像装置として位置情報取得機能や通信機能を備えたデジタルカメラやデジタルビデオカメラ等への適用を想定して説明を進めるが、これらには限定されないことは勿論である。
【００１４】
先ず、図１には本発明の第１の実施の形態に係る撮像装置の構成を示し説明する。
【００１５】
撮像装置１００は、ＣＰＵ（Central Processing Unit）１、位置情報取得部２、外部ネットワーク通信部３、表示制御部４、ＬＣＤ（Liquid Crystal Display）５、記録再生部６、記録メディア７、画像信号処理部８、光学系９、操作処理部１０、操作部１１、ＲＡＭ（Random Access Memory）１２、ＲＯＭ（Read Only Memory）１３を有している。
【００１６】
即ち、撮像装置１００の各部の制御を司るＣＰＵ１は、ローカルバス１４を介して、位置情報取得部２、外部ネットワーク通信部３、ＲＡＭ１２、ＲＯＭ１３と通信自在に接続されている。更に、ＣＰＵ１は、ローカルバス１４を介して、ＬＣＤ５を駆動制御する表示制御部４、記録メディア７へのデータの記録再生を行う記録再生部６、光学系９を介して得た画像信号を処理する画像処理部８、操作部１１の操作に基づいて制御信号を発生する操作処理部１０と通信自在に接続されている。尚、ＬＣＤ５は、例えば表示手段として機能する。
【００１７】
尚、ＲＯＭ１３には、ＣＰＵ１が各種処理を実行するための処理プログラムや、その際に各構成部で参照するパラメータなどが記憶されている。ＲＡＭ１２には、処理が実行される際にＣＰＵ１及び各部が生成したデータや処理中のデータなどが記憶される。
【００１８】
このような構成において、光学系９はＣＣＤ(Charge Coupled Device)やＣＭＯＳ(Complementary Metal Oxide Semiconductor)センサ等の撮像素子を少なくとも有し、光学レンズ等を介して入射された被写体像は撮像素子表面に結像され、当該撮像素子は結像された被写体像に係る画像信号を出力する。この撮像素子は例えば撮像手段として機能する。画像信号処理部８は、この画像信号に所定の信号処理を施した後、所定の方式の画像データに変換してＣＰＵ１に出力する。より具体的には、画像信号処理部８は、入力された画像信号に対して、例えばアナログ／デジタル変換、ホワイトバランス、ガンマ補正等の各処理を行ない、所定の方式にエンコードした画像データを出力する。この画像データは、ＲＡＭ１２に一時的に記憶保持される。ＣＰＵ１は、このＲＡＭ１２の画像データを読み出し、記録再生部６を駆動制御して、画像ファイルとして記録メディア７に記録することになる。この画像信号処理部８は、例えば画像信号処理手段として機能する。
【００１９】
更に、例えば撮影時においては、ＣＰＵ１は、位置情報取得部２を制御し、例えばＧＰＳ(Global Positioning System)機能により当該撮影時の撮像装置１００の位置情報を取得する。より具体的には、人工衛星１０３から電波が届くまでの時間を用いて求められる距離を基に、撮像装置１００が地球上のどの位置（緯度・経度）にいるのかを検知することになる。その結果、位置情報として緯度、経度等の情報が取得される。尚、この緯度及び経度の情報に加えて、方位の情報を取得してもよいことは勿論である。この位置情報取得部２は、例えば位置情報取得手段として機能する。
【００２０】
ＣＰＵ１は、この位置情報を、外部ネットワーク通信部３及びインターネット等の外部ネットワーク１０２を介して、地図データ提供サーバ１０１に送信し、当該位置情報に対応する地図データ参照先情報を取得する。この地図データ参照先情報は、例えばＵＲＬ(uniform resource locator)等により表記されている。この外部ネットワーク通信部３及びＣＰＵ１は、例えば地図データ取得手段として機能する。
【００２１】
ＣＰＵ１は、この地図データ参照先情報を取得することができた場合には、当該参照先にアクセスし、地図データを取得する。ＣＰＵ１は、記録再生部６を制御して地図データを地図画像ファイルとして記録メディア７に記録する。この他、ＣＰＵ１は、詳細は後述するが、前述した画像ファイルと地図画像ファイルとの対応関係等を示すコンテンツ管理ファイルを生成し、記録再生部６を駆動制御して、記録メディア７に記録する。
【００２２】
尚、このコンテンツ管理ファイルは、例えば同期ファイルとして機能し、この記録再生部６は、例えば記録再生手段として機能する。
【００２３】
一方、再生時においては、ＣＰＵ１は、記録再生部６を駆動制御して、記録メディア７に記録された画像ファイル及び地図画像ファイルを読み出し、表示制御部４を介してＬＣＤ５に表示するように制御する。また、操作処理部１０は、各種操作ボタン等からなる操作部１１が操作されたことを検知した場合、所定の状態信号をＣＰＵ１に送信する。ＣＰＵ１は、この状態信号に基づいて各構成部を駆動制御する。
【００２４】
ここで、図２には、撮影・記録後の記録メディア７上のファイル構成を概念的に示し説明する。この図２に示されるように、記録時にはフォルダ（DIR001）が生成され、当該フォルダにはコンテンツ管理ファイル、画像ファイル（GAZO001.JPG,GAZO002.JPG…）、地図画像ファイル（TIZU001.JPG，…）が格納される。
【００２５】
このコンテンツ管理ファイルの内部構造は図３に示される通りである。コンテンツ管理ファイルは、ヘッダ部とボディ部からなる。ボディ部には、各画像ファイルに対応する画像ファイル管理情報［i］（i＝1,2,3…）が格納される。各画像ファイル管理情報[i]は少なくとも画像ファイルのファイル名、画像ファイル位置情報（位置情報存在フラグ、緯度及び経度）、地図データ参照先情報、地図画像ファイルのファイル名からなる。位置情報取得部２により位置情報を取得できた場合には位置情報存在フラグは“true”となり、取得できなかった場合には位置情報存在フラグ“false”となる。地図データ参照先情報は、例えば“http://www.tizu/tizu001/”の如くＵＲＬで示される。
【００２６】
このように、コンテンツ管理ファイルにおいて、ある画像ファイル管理情報内に、画像ファイルのファイル名と地図画像ファイルのファイル名という情報を対応付けて持たせることで、画像ファイルと地図画像ファイルの対応関係を明確にすることができるので、ある画像ファイルに対応する地図画像ファイルを容易に特定することが可能となる。
【００２７】
以下、図４乃至図８のフローチャートを参照して、本発明の第１の実施の形態に係る撮像装置による撮影記録処理について更に詳細に説明する。
【００２８】
これら処理の一部又は全部は、同期ファイル作成・記録方法に相当する。
【００２９】
撮影記録処理を開始すると、ＣＰＵ１は、画像データの記録を行う（ステップＳ１）。
【００３０】
この画像データの記録に係る処理では、ＣＰＵ１は、図５に示されるサブルーチン“画像データの記録”を読み出して実行する。即ち、ＣＰＵ１は、画像信号処理部８で生成された画像データを画像ファイルとして記録メディア７に記録し（ステップＳ１１）、当該画像ファイルをコンテンツ管理ファイルに設定し（ステップＳ１２）、リターンする。
【００３１】
図４の説明に戻り、続いてＣＰＵ１は、位置情報の取得を行う（ステップＳ２）。
【００３２】
この位置情報の取得に係る処理では、ＣＰＵ１は、図６に示されるサブルーチン“位置情報取得”を読み出して実行する。即ち、ＣＰＵ１は、位置情報取得部２を制御して位置情報を取得する（ステップＳ２１）。そして、位置情報が適正に取得できたか否かを判断する（ステップＳ２２）。ＣＰＵ１は、位置情報を取得できたと判断した場合には（ステップＳ２２をＹｅｓに分岐）、位置情報をコンテンツ管理ファイルに設定する（ステップＳ２３）。より具体的には、ＣＰＵ１は、位置情報存在フラグを“true”に設定し（ステップＳ２３ａ）、緯度・経度の値を設定し（ステップＳ２３ｂ）、リターンする。一方、ステップＳ２２にて、ＣＰＵ１は位置情報を取得できなかったものと判断した場合には（ステップＳ２２をＮｏに分岐）、位置情報をコンテンツ管理ファイルに設定する（ステップＳ２４）。より具体的には、ＣＰＵ１は、位置情報存在フラグを“false”に設定し（ステップＳ２４ａ）、緯度・経度の値を初期化し（ステップＳ２４ｂ）、リターンする。
【００３３】
再び図４の説明に戻り、ＣＰＵ１は、位置情報を取得できたか否かを判断する（ステップＳ３）。この判断は、コンテンツ管理ファイルの画像ファイル管理情報に含まれる位置情報存在フラグに基づいて行う。ここで、位置情報存在フラグが“false”である場合には、位置情報が取得できなかったものとして、ＣＰＵ１は、撮影記録処理を終了する。一方、位置情報存在フラグが“true”である場合には、ＣＰＵ１は、位置情報が取得できたものとして、地図データ参照先情報取得処理を行う（ステップＳ４）。
【００３４】
この位置データ参照先情報取得処理では、ＣＰＵ１は、図７に示されるサブルーチン“地図データ参照先情報取得”を読み出して実行する。即ち、ＣＰＵ１は、位置情報を外部ネットワーク通信部２より地図データ提供サーバ１０１に送信し、当該位置情報に対応した地図データの地図データ参照先情報を取得する（ステップＳ４１）。続いて、地図データ参照先情報を適正に取得できたか否かを判断し（ステップＳ４２）、取得できた場合には地図データ参照先情報をコンテンツ管理ファイルの画像ファイル管理情報に設定し（ステップＳ４３）、取得できなかった場合には地図データ参照先情報をＮＵＬＬ（空文字列：値が存在しない文字列）に設定し（ステップＳ４）、リターンする。
【００３５】
再び図４の説明に戻り、ＣＰＵ１は、地図データ参照先情報を取得できたか否かを判断する（ステップＳ５）。ここでは、ＣＰＵ１は、コンテンツ管理ファイルの画像ファイル管理情報の地図データ参照先情報に基づいて判断する。ここで、地図データ参照先情報がＮＵＬＬである場合には、地図データ参照先情報を取得できなかったものと判断し（ステップＳ５をＮｏに分岐）、撮影記録処理を終了する。一方、地図データ参照先情報に値が存在する場合には、地図データ参照先情報を取得できたものと判断し（ステップＳ５をＹｅｓに分岐）、ＣＰＵ１は、地図データ取得の処理を行う（ステップＳ６）。
【００３６】
この地図データ取得の処理では、ＣＰＵ１は、図８に示されるサブルーチン“地図データ取得”を読み出して実行する。即ち、ＣＰＵ１は、地図データ参照先情報を外部ネットワーク通信部３より地図データ提供サーバ１０１に送り、地図データを取得する（ステップＳ６１）。続いて、ＣＰＵ１は、地図データを適正に取得できたか否かを判断し（ステップＳ６２）、取得できた場合には（ステップＳ６２をＹｅｓに分岐）、地図データを地図画像ファイルとして記録メディア７に記録し（ステップＳ６３）、地図画像ファイルを設定し（ステップＳ６４）、リターンする。すなわち、コンテンツ管理ファイルの対応する画像ファイル管理情報の地図画像ファイル_ファイル名に、対応する地図画像ファイルのファイル名を設定する。一方、取得できなかった場合には（ステップＳ６２をＮｏに分岐）、地図画像ファイルにＮＵＬＬを設定し（ステップＳ６５）、リターンする。即ち、外部ネットワークとの通信ができず地図データが取得できない場合、コンテンツ管理ファイルの対応する画像ファイル管理情報の地図画像ファイル_ファイル名に取得できなかったという情報を表すＮＵＬＬを設定することになる。
【００３７】
こうして、図４の処理に戻り、全ての撮影記録処理を終了する。
【００３８】
以上の処理により、外部ネットワーク経由よりも転送レートが高速な記録メディア７上に、地図画像ファイルを記録することができる。
【００３９】
次に、図９のフローチャートを参照して、本発明の第１の実施の形態に係る撮像装置による指定画像の地図データ再生処理について詳細に説明する。
【００４０】
図１０の表示例に示されるように、ＬＣＤ５がタッチパネル機能を有している場合、指定画像がＬＣＤ５の画面２００の画像表示領域２００ａに表示されると、その右下隅に“ＭＡＰ”アイコン２００ｂが表示される。カーソル２００ｃが移動され、この“Ｍａｐ”アイコン２００ｂが押下されると、指定画像の地図データ再生処理を開始する。
【００４１】
本処理を開始すると、先ずＣＰＵ１は、コンテンツ管理ファイルの画像ファイル管理情報の位置情報存在フラグの状態を確認し（ステップＳ７１）、当該位置情報存在フラグが“false”である場合には（ステップＳ７１をＮｏに分岐）、地図画像が存在しない旨のメッセージをＬＣＤ５に表示し（ステップＳ７２）、こうして本処理を終了する。
【００４２】
一方、当該位置情報存在フラグが“true”ならば、ＣＰＵ１は、地図データ参照先情報が設定されているか否かを確認する（ステップＳ７３）。ここで、地図データ参照先情報が設定されていない場合には、ＣＰＵ１は地図データ参照先情報取得（前述した図７を参照）の処理を実行する（ステップＳ７４）。続いて、ＣＰＵ１は、地図データ参照先情報が取得できたか否かを判断する（ステップＳ７５）。ここで、当該情報を取得できなかった場合には（ステップＳ７５をＮｏに分岐）、地図画像が存在しない旨のメッセージをＬＣＤ５に表示し（ステップＳ７２）、本処理を終了する。地図データ参照先情報を取得できた場合には（ステップＳ７５をＹｅｓに分岐）、ステップＳ７７に移行する。
【００４３】
また、ステップＳ７３で地図データ参照先情報が設定されている場合には（ステップＳ７３をＹｅｓに分岐）、地図画像ファイル＿ファイル名が設定されているか否かを確認する（ステップＳ７６）。ここで、地図画像ファイル名＿ファイル名が設定されていない場合（ＮＵＬＬ）には（ステップＳ７６をＮｏに分岐）、ステップＳ７７に移行する。
【００４４】
このステップＳ７７では、地図データ取得処理（前述した図８を参照）を実行する。
【００４５】
続いて、ＣＰＵ１は地図データが取得できたか否かを確認する（ステップＳ７８）。ここで、地図データを取得できなかった場合には、地図画像が存在しない旨のメッセージをＬＣＤ５に表示し（ステップＳ７２）、本処理を終了する。一方、地図データを取得できた場合には（ステップＳ７８をＹｅｓに分岐）、ステップＳ７９に移行する。
【００４６】
上記ステップＳ７６で、地図画像ファイル＿ファイル名が設定されている場合には（ステップＳ７６をＮｏに分岐）、ＣＰＵ１は地図画像ファイルを記録メディア７から読み出し（ステップＳ７９）、この地図画像ファイルに基づいて地図画像をＬＣＤ５に再生し（ステップＳ８０）、こうして指定画像の地図データの再生を終了する。
【００４７】
このように、画像ファイルに対応した位置情報存在フラグ、地図データ参照先情報、地図画像ファイル_ファイル名を参照し、地図データが存在すると判断できた場合には当該地図画像ファイル_ファイル名で示される地図画像ファイルを記録メディア７から読み出し、地図画像ファイルをＬＣＤ５に再生する。
【００４８】
この表示された地図画面の様子は、図１１に示される通りである。
【００４９】
この地図画面２０１の画像表示領域２０１ａには地図画像の他に撮影時の撮像装置の所在を示すアイコン２０１ｂも表示される。カーソル２０１ｄを動かして、地図画面２０１の右上端のアイコン２０１ｃを押下すると、前述した図１０の指定画像の表示画面に遷移するようになっている。
【００５０】
以上の処理により、外部ネットワーク経由よりも転送レートが高速な記録メディア７上に記録された地図画像ファイルを再生することができる。
【００５１】
次に、図１２及び図１３のフローチャートを参照して、本発明の第１の実施の形態に係る撮像装置による地図データの再取得処理について詳細に説明する。
【００５２】
この地図データの再取得処理は、ユーザが地図データ再取得処理を操作部１１を操作して指示した場合など実行される。或いは、撮像装置に、記録モード／再生モードがある場合において、再生モードに移行した時点で自動的に実行してもよい。
【００５３】
地図データ再取得処理を開始すると、先ず画像ファイル数に係る変数ｉを初期化（ｉ＝１）し（ステップＳ１００）、この変数ｉが画像ファイル数を超えるまで画像ファイル管理情報[i]の地図データ再取得処理を実行する（ステップＳ１０１乃至Ｓ１０３）。即ちコンテンツ管理ファイルに登録された画像ファイル管理情報を参照し、先頭から登録数の分だけ地図データ再取得処理を実行することになる。
【００５４】
この地図データ再取得処理では、図１３に示されるサブルーチン“画像ファイル管理情報[i]の地図データ再取得”を読み出して実行する。
【００５５】
即ち、ＣＰＵ１は、コンテンツ管理ファイルの画像ファイル管理情報の位置情報存在フラグの状態を確認し（ステップＳ１１０）、当該位置情報存在フラグが“false”である場合には（ステップＳ１１０をＮｏに分岐）、リターンする。一方、当該位置情報存在フラグが“true”ならば、ＣＰＵ１は、地図データ参照先情報が設定されているか否かを確認する（ステップＳ１１１）。ここで、地図データ参照先情報が設定されていない場合、ＣＰＵ１は地図データ参照先情報取得（前述した図７を参照）の処理を実行する（ステップＳ１１３）。続いて、ＣＰＵ１は、地図データ参照先情報が取得できたか否かを判断する（ステップＳ１１４）。ここで、当該情報を取得できなかったと判断した場合には（ステップＳ１１４をＮｏに分岐）、リターンする。一方、地図データ参照先情報を取得できたと判断した場合には（ステップＳ１１４をＹｅｓに分岐）、ステップＳ１１５に移行する。また、ステップＳ１１１で地図データ参照先情報が設定されている場合には（ステップＳ１１１をＹｅｓに分岐）、地図画像ファイル＿ファイル名が設定されているか否かを確認する（ステップＳ１１２）。ここで、地図画像ファイル名＿ファイル名が設定されていない場合（ＮＵＬＬ）には（ステップＳ１１２をＮｏに分岐）、ステップＳ１１５に移行する。このステップＳ１１５では、地図データ取得処理（前述した図８を参照）を実行して、メインルーチンにリターンすることになる。
【００５６】
こうして全ての画像ファイルについて地図データ再取得を完了すると（ステップＳ１０１をＮｏに分岐）、本処理を終了する。
【００５７】
以上の処理により、撮影時に取得できなかった地図データや地図データ参照先情報を再取得することができる。
【００５８】
以上説明したように、本発明の第１の実施の形態に係る撮像装置によれば、所望の画像データに関わる地図データ参照先情報から地図データを取得して予め記録メディア７に保持しているので、地図画像の表示の際に転送レートの速い記録メディアから読み出せばよいので、表示処理を高速に行うことができる。
【００５９】
また、画像撮影時に、通信若しくは記録メディア７への転送レートが不十分なために地図データを取得できない場合でも、地図データの取得をスキップし、後で地図データを取得するように制御することで、地図データの取得品質の向上を図ることもできる。
【００６０】
更に、像撮影時点での、地図データを記録メディア７に記録することができるため、ユーザは年月が経過した後でも撮影当時の撮影場所の地図を確認することができる。
【００６１】
さらに、画像撮影後、外部ネットワーク１０２との通信が不能な場合でも、地図データを表示閲覧することができる。さらに、保存する地図画像データに関して、解像度を落としたり、画素を間引いたりする処理を行わないため、高画質な地図画像で閲覧することが可能となる。
【００６２】
次に本発明の第２の実施の形態について説明する。
【００６３】
前述した第１の実施の形態では、一つの画像ファイルに対し、一つの地図画像ファイルを関連付けた例を示したが、第２の実施の形態に係る撮像装置では、一つの画像ファイルに対して複数の地図画像ファイルを関連付けて記録することを特徴とする。従って、第２の実施の形態では、地図画像表示の多様化に関する効果がより大きくなる。
【００６４】
この第２の実施の形態に係る撮像装置の構成は、第１の実施の形態（図１）と基本的には同じであるので、以下では同一構成については同一符号を用いて説明を進める。
【００６５】
この第２の実施の形態に係る撮像装置では、ＣＰＵ１の制御により、図１４に示されるように、記録メディア７に生成されたフォルダ（この例ではDIR001）において、一つの画像ファイル（この例ではGAZO001.JPG）について複数の地図画像ファイル（この例ではTIZU001.JPG、TIZU002.JPG、TIZU003.JPG…）をコンテンツ管理ファイルの画像ファイル管理情報により対応付けて格納することになる。
【００６６】
即ち、前述した第１の実施の形態に係る撮像装置では、一つの地図データ参照先情報及び地図画像ファイル＿ファイル名の情報を画像ファイル管理情報［i］にて保持していたが、この第２の実施の形態に係る撮像装置では、３次元表示画像（３Ｄ）の地図画像ファイルと複数の縮尺に係る地図画像ファイルについて、地図データ参照先情報を取得して地図データ参照先情報を画像ファイル管理情報にて保持し、更に各地図画像ファイルを取得して地図画像ファイル＿ファイル名の情報を画像ファイル管理情報にて保持する。
【００６７】
再生時には、ＣＰＵ１は、記録メディア７に記録されている画像ファイル、地図画像ファイルを読み出し、表示制御部４を駆動制御してＬＣＤ５に画像を表示する。
【００６８】
ここで、撮影した画像ファイルに対応する地図画像ファイルに基づき地図画像をＬＣＤ５に再生表示したイメージ例は図１５に示される通りである。この図１５に示されるように画面２０２の画像表示領域２０２ａの右側に “３Ｄ”、“拡大”、“縮小”のアイコン２０２ｂ，２０２ｃ，２０２ｄが表示されるので、操作部１１を操作することでカーソル２０２ｅを移動し、所望とするアイコンを適宜押下すれば、地図画像の縮尺の変更、３Ｄ画像表示への変更が高速に行うことができる。
【００６９】
以上説明したように、本発明の第２の実施の形態に係る撮像装置によれば、前述した第１の実施の形態による効果に加えて、縮尺や視点の異なる複数の地図データを保存可能なため、地図の拡大縮小、３Ｄ表示を適宜行うことが可能となる。
【００７０】
次に本発明の第３の実施の形態について説明する。
【００７１】
この第３の実施の形態に係る撮像装置は、例えばデジタルビデオカメラ等といった動画像を撮影するものであり、動画像データに基づいてサムネイル画像を生成し、それらサムネイル画像群を一画面に表示することを特徴とする。
【００７２】
基本的な構成は第１の実施の形態（図１）と同様であるので、以下では同一構成については同一符号を用いて説明するが、画像信号処理部８が動画像圧縮符号化部、サムネイル生成部を有することになる。つまり、動画像信号処理に対応したものとなる。
【００７３】
このような構成において、光学系８を介して撮像された動画像に係る動画像データは画像信号処理部８に含まれる動画像圧縮符号化部により例えばＭＰＥＧ(Moving Pictures Experts Group)２方式等により圧縮符号化された後、記録再生部６を介して記録メディア７に記録される。このとき、サムネイル生成部が、動画像データから所定のフレームを抽出し、画素数を変換した後、例えばＪＰＥＧ(Joint Photographic Experts Group)方式等により符号化し、サムネイル画像に係る画像データとして記録再生部６を介して記録メディア７に記録する。上記フレームの抽出では、例えば１秒あたり３０フレームの動画像を連続する１５フレームからなるＧＯＰ(Group Of Pictures)を単位として圧縮符号化する場合、１５フレームから１つのフレームが抽出される。但し、これに限定されない。
【００７４】
ここで、図１６はサムネイル画像の表示例を示している。
【００７５】
この図１６に示されるように、画面２０３のサムネイル表示領域２０３ａに表示された各サムネイル画像の右下には“Ｍａｐ”アイコン２０３ｃが表示されており、操作部を操作することで、カーソル２０３ｃを移動させ、所望とするサムネイル画像の“Ｍａｐ”ボタン２０３ｃが押下されると、図１７に示される地図画像が表示される。
【００７６】
尚、前述した第２の実施の形態のように、一つの画像ファイルについて複数の地図画像ファイルを保持している場合には、先に図１５に示したように、この地図画像の表示された画面の右側に“３Ｄ”、“拡大”、“縮小”アイコン２０２ｂ乃至２０２ｄを表示し、３次元表示、拡大、縮小表示に適宜切り替えることを可能とすることもできる。
【００７７】
以上説明したように、本発明の第３の実施の形態に係る撮像装置によれば、前述した第１，２の実施の形態による効果に加えて、動画像のサムネイル画像の表示態様から地図画像の表示への移行を簡易な操作で迅速に行うことが可能となる。従って、ユーザの利便性は更に高まることとなる。
【００７８】
以上、本発明の一実施の形態について説明したが、本発明はこれに限定されることなくその趣旨を逸脱しない範囲で種々の改良・変更が可能である。例えば、本発明は、ＧＰＳ機能を備えた携帯電話機への適用も可能であることは勿論である。
【図面の簡単な説明】
【００７９】
【図１】本発明の第１の実施の形態に係る撮像装置の構成図。
【図２】撮影・記録後の記録メディア上のファイル構成を概念的に示した図。
【図３】コンテンツ管理ファイルの内部構造を示す図。
【図４】本発明の第１の実施の形態に係る撮像装置による撮影記録処理について説明するためのフローチャート。
【図５】図４のステップＳ１で実行されるサブルーチン“画像データの記録”の処理について説明するためのフローチャート。
【図６】図４のステップＳ２で実行されるサブルーチン“位置情報取得”の処理について説明するためのフローチャート。
【図７】図４のステップＳ４で実行されるサブルーチン“地図データ参照先情報取得”の処理について説明するためのフローチャート。
【図８】図４のステップＳ６で実行されるサブルーチン“地図データ取得”の処理について説明するためのフローチャート。
【図９】本発明の第１の実施の形態に係る撮像装置による指定画像の地図データ再生の処理について説明するためのフローチャート。
【図１０】本発明の第１の実施の形態に係る撮像装置により撮影された画像の表示例を示す図。
【図１１】本発明の第１の実施の形態に係る撮像装置による地図画像の表示例を示す図。
【図１２】本発明の第１の実施の形態に係る地図データ再取得の処理について説明するためのフローチャートである。
【図１３】図１２のステップＳ１０２で実行されるサブルーチン“画像ファイル管理情報［i］の地図データ再取得の処理について説明するためのフローチャート。
【図１４】本発明の第２の実施の形態に係る撮像装置により管理されるファイルの構造を示す概念図。
【図１５】本発明の第２の実施の形態に係る撮像装置による地図画像の表示例を示す図。
【図１６】本発明の第３の実施の形態に係る撮像装置による動画サムネイルの表示例を示す図。
【図１７】本発明の第３の実施の形態に係る撮像装置による地図画像の表示例を示す図。
【符号の説明】
【００８０】
１…ＣＰＵ、２…位置情報取得部、３…外部ネットワーク通信部、４…表示制御部、５…ＬＣＤ、６…記録再生部、７…記録メディア、８…画像信号処理部、９…光学系、１０…操作処理部、１１…操作部、１２…ＲＡＭ、１３…ＲＯＭ、１００…撮像装置、１０１…地図データ提供サーバ、１０２…外部ネットワーク、１０３…人工衛星
【図１】
2008262487.tif 000003
【図２】
2008262487.tif 000004
【図３】
2008262487.tif 000005
【図４】
2008262487.tif 000006
【図５】
2008262487.tif 000007
【図６】
2008262487.tif 000008
【図７】
2008262487.tif 000009
【図８】
2008262487.tif 000010
【図９】
2008262487.tif 000011
【図１０】
2008262487.tif 000012
【図１１】
2008262487.tif 000013
【図１２】
2008262487.tif 000014
【図１３】
2008262487.tif 000015
【図１４】
2008262487.tif 000016
【図１５】
2008262487.tif 000017
【図１６】
2008262487.tif 000018
【図１７】
2008262487.tif 000019